(57)【要約】【課題】弾性体の樹脂カバーを用いたヘアーカーラが髪に巻き付けた際に変形しないようにする。【解決手段】台部１１に立設する発熱体１を挟持する金属フレーム１０ａ、１０ｂの先端に円盤状の支持部材１３を取り付けて樹脂カバー１２を被せる。ヘアーカーラに髪を巻き付けた際に圧力が加わると、支持部材１３が金属フレーム１０ａ、１０ｂを支持してカーラの変形を防ぐので、変形による温度のバラツキを起こさない。【選択図】図１
2006102370.tif 000002
【特許請求の範囲】
【請求項１】
底部に給電用の突起に嵌合する嵌入口を設け、一方、上部に内側の平坦部で発熱体を挟持し、外側の半円筒形の周の頂点に長さ方向のスリットを設けた一対の金属フレームを立設する円筒状の台部と、前記金属フレームから台部に被さる円筒状の樹脂カバーとからなり、
前記カバーを弾性体の樹脂で形成するとともに、前記一対の金属フレームの先端の内側に円盤状の支持部材を取り付けるようにしたヘアーカーラ。
【請求項２】
上記支持部材の円盤状の周に突部を設け、その突部を金属フレームのスリットに当接するようにした請求項１に記載のヘアーカーラ。
【発明の詳細な説明】
【技術分野】
【０００１】
この発明は、弾性体の樹脂を使用したヘアーカーラに関するものである。
【背景技術】
【０００２】
ヘアーカーラは、髪に巻き付けるだけでヘアーアレンジが自宅ででも手軽にできるので、若い女性の必須アイテムの一つである。
【０００３】
このヘアーカーラは、例えば、図５の〔特許文献１〕に示すものでは、発熱体１のセラミックの上下を筒状の金属体（セラミックを挟む底部あり）２で挟んでプラグジャック（以下、ジャック）３を取り付け、樹脂による成形（樹脂モールド）を施した構造となっている。
【０００４】
そして、例えば図４の本願発明のものと同様に、給電スタンド５の給電用の突起６にセットして通電し、発熱体１によってヘアーカーラ全体が温まると、給電スタンド５から取り外して髪に巻き付ける。その際、クリップなどで留めて手早くセットして、セットしたカーラが冷めるまで待って取り外すと、カールが綺麗にでき上がるというものである。
【０００５】
ところで、上記のヘアーカーラでは、発熱体１のセラミックと上下の筒状の金属体２及びジャック３からなる発熱部分を組立てたのち、樹脂によるモールドを行う構造なので、例えば、発熱部分の組立てを増産しても、モールド加工の処理が同調してできなければ量産効果が期待できない（組立ては人手を増やせば簡単にできるが、モールド処理は加工機械を導入しなければできない）問題があった。
【０００６】
このとき、モールド加工に代えて、樹脂によるカバーを発熱部分に被せるようにすれば、カバーと発熱部とをそれぞれ別に量産ができるので、両部材を組み合わせるだけで量産効果が期待できる。
【０００７】
ところで、先述のモールド加工を行うタイプのヘアーカーラも、後述の樹脂カバーを被せるタイプのヘアーカーラも、従来、樹脂に硬質のものを使用していた。そのため、カチカチで髪への装着感が悪い。特に、強く巻き付けると、外周に形成した図５の突起７が固くて、頭皮に当たった際に傷を付ける問題があった。
【０００８】
この問題を解決する一つの方法として、樹脂を硬質のものから弾性体で柔らかなものへ変更すれば、突起７を含む全体を柔らかくすることができる筈である。
【特許文献１】特開平４−１３２５０８号公報
【発明の開示】
【発明が解決しようとする課題】
【０００９】
しかしながら、後述の樹脂カバーを被せるものでは、弾性体の樹脂で樹脂カバーを形成すればカバー全体が柔らかくなり、例えば髪を巻き付ける際の外部からの圧力が内部の発熱部へカバーを介して加わることになる。このとき、前記圧力を発熱部が支持できなければ、加わった圧力で外形が変形してしまう。
【００１０】
こうして外形が変形すると、発熱（蓄熱）部とカバーとの接触状態が均一にならないので、カバー表面の温度がバラツクことになる。また、このように表面の温度がバラツクと髪に加わる温度が一様にならず、カールの仕上がりにムラを生じてしまい綺麗にできなくなる問題がある。
【００１１】
そこで、この発明の課題は、樹脂カバーを取り付けるタイプのヘアーカーラに柔軟性を与えて装着感を良くし、かつ、頭皮を傷めないようにするとともに、変形を防いで表面温度のバラツキを防止し、仕上げが綺麗にできるようにすることである。
【課題を解決するための手段】
【００１２】
上記の課題を解決するため、底部に給電用の突起に嵌合する嵌入口を設け、一方、上部に内側の平坦部で発熱体を挟持し、外側の半円筒形の周の頂点に長さ方向のスリットを設けた一対の金属フレームを立設する円筒状の台部と、前記金属フレームから台部に被さる円筒状の樹脂カバーとからなり、前記カバーを弾性体の樹脂で形成するとともに、前記一対の金属フレームの先端の内側に円盤状の支持部材を取り付けるようにした構成を採用したのである。
【００１３】
このような構成を採用したことにより、弾性体の樹脂で形成した樹脂カバーを金属フレームから台部に被せると、金属フレームのスリットが縮小してフレームの径は縮小することになる。また、樹脂カバーも弾性があるのでカバーの取り付けが容易にできる。取り付けたカバーは、弾性体の樹脂で形成した柔軟性のあるものなので、髪を巻き付けた際に頭皮を傷つけないようにできる。このとき、髪を巻き付けた圧力でスリットが縮小し、スリットの端部同士が互いに食い込もうとするが、これを金属フレームの先端に設けた円盤状の支持部材がフレーム先端に当接して外形の変形を防止し、ヘアーカーラが潰れないようにする。そのため、表面温度のバラツキを防止して仕上げが綺麗にできる。
【００１４】
このとき、上記支持部材の円盤状の周に突部を設け、その突部を金属フレームのスリットに当接するようにした構成を採用することができる。
【００１５】
このような構成を採用することにより、スリットに当接する突部の高さを調整すれば金属フレームのスリットの縮小幅を調整することができる。その際、スリツトの縮小幅が小さくても樹脂カバーが弾性体なので取り付けは容易である。また、このようにスリットの縮小幅を調整できるので、前記カバーの取り付け後の外形の変形程度を調整すれば、より温度ムラが起きにくいようにできる。
【発明の効果】
【００１６】
この発明は、上記のように構成したことにより、量産化によるコストダウンを図れるヘアーカーラに柔軟性を与えて装着感を向上させ、かつ、頭皮を傷めないようにすることができる。また、髪に巻き付けたときの、変形を防いで表面温度のバラツキを防止することができるので、カーラによる仕上がり具合を向上させることができる。
【発明を実施するための最良の形態】
【００１７】
この発明の最良の実施形態を図面に基づいて説明する。
【００１８】
この形態のヘアーカーラは、図１（ａ）、（ｂ）に示すように、発熱体１を挟持する金属フレーム１０ａ、１０ｂを立設した台部１１と樹脂カバー１２とからなっており、その金属フレーム１０ａ、１０ｂに円盤状の支持部材１３を取り付けた構成となっている。
【００１９】
台部１１は、図２に示すように、中央に底部よりも小径の円筒を設けた二階建ての円筒構造をしており、中央の小径の円筒の周囲には、フィン状のスペーサ１４が等間隔で設けられている。
【００２０】
この台部１１の底面には図１（ｂ）のような嵌入口１５が設けられている。前記嵌入口１５は図１（ｂ）に示すように、入口部分が底面一杯に開いたスカート状になっており、その奥に嵌入口１５より小径の嵌合穴１６が設けられている。前記嵌合穴１６は、例えば図４で示すような給電スタンド５の給電用の突起６と係合する大きさに形成されており、その嵌合穴１６の中央には、給電用の端子（ジャック）１７が設けられている。前記ジャック１７は、先端が絶縁層１８を介してホット端子とアース端子を設けた２極構造となっており、図４のように給電用の突起６の中央に設けられたソケットに嵌まるようになっている。
【００２１】
一方、ジャック１７の後端は、図１（ｂ）のように台部１１の上部に貫通しており、貫通したジャック１７の後端には円形の端子板１９が取り付けられている。前記端子板１９は、ジャック１７のホット側とアース側（内側導体と外側導体）とを分離するためのもので、端子板１９の上部と下部から、ジャック１７のそれぞれの導体と接続した２枚のＬ型の舌片２０ａ、２０ｂを取り出すようにしている。
【００２２】
また、端子板１９には、切欠２１を図２のように、周の１８０度対向した位置に設けて保持部材２２を取り付けるようになっている。
【００２３】
前記保持部材２２は、プラスチック板の下部を端子板１９の断面形に合わせた形状に切欠いて両端に係合用の突部２３を形成し、前記突部２３を端子板１９の切欠２１に係合できるようにしたものである。また、その板面のほぼ中央に円形の孔２４を設けて発熱体１を保持するようになっている。前記発熱体１は、ここでは、円板状のセラミック素子を用いている。
【００２４】
さらに、保持部材２２には、両面に突起２５を設けて一対の金属製のフレーム１０ａ、１０ｂを取り付けるようにしてある。
【００２５】
すなわち、前記突起２５はＬ形をしており、ここでは、板面を突出させて形成している。そのため、突起２５を一方の面に形成すると、他方の面の同じ位置に設けることができず、図２のように、保持部材２２の一方の面と他方の面で突起２５の向きと数とが１８０度対称となるようにしてある。その結果、後述するように、金属フレーム１０ａ、１０ｂの保持部材２２へ取り付けるための形状は、一方の面と他方の面とで対称（逆）となるようにしてある。
【００２６】
金属フレーム１０ａ、１０ｂは、それぞれ半円筒形をしたもので、図２のように外周面には、周の頂点に沿って長さ方向のスリット２７が設けられている。このように設けたスリット２７は、スリット２７の分だけ金属製のフレーム１０ａ、１０ｂを縮小することができるので、樹脂カバー１２に挿入する際に入れやすく、また、樹脂カバー１２への挿入後は前記フレーム１０ａ、１０ｂが元の大きさにさ戻ろうとするバネ弾性によって外れにくくなるようにしてある。
【００２７】
一方、金属フレーム１０ａ、１０ｂの内側の平坦部２８には、その面に前記保持部材２２の突起２５と係合する切欠２９と孔３０とが設けられている。この切欠２９と孔３０とは、図２のように、左右の金属フレーム１０ａ、１０ｂで逆となっている。
【００２８】
すなわち、手前のフレーム１０ｂでは、切欠２９を平坦部２８の上部に形成し、孔３０を下方となるように形成してある。逆に、奥のフレーム１０ａでは切欠２９を平坦部２８の下部に形成し、孔３０が上方となるように設けてある。このようにすることにより、保持部材２２の取り付け面に金属フレーム１０ａ、１０ｂを取り付けられるようにしてある。さらに、一方のフレーム（図２では、奥のフレーム）１０ａの上部に折り曲げた突片３１を設け、前記突片３１を保持部材２２の上部の切欠２６に嵌めることにより、前記フレーム１０ａ、１０ｂの左右方向のズレを防いで位置決めができるようにしてある。
【００２９】
また、それぞれの金属フレーム１０ａ、１０ｂの平坦部２８には、図２のように円形の突部３５が形成されており、前記突部３５でもって、保持部材２２に取り付けられた発熱体１を挟持するとともに、挟持した発熱体１への給電を行うようになっている。
【００３０】
すなわち、金属フレーム１０ａ、１０ｂは、保持部材２２に取り付けられて、端子板１９に取り付けると、図３のように端子板１９からの舌片２０ａ、２０ｂが前記フレーム１０ａ、１０ｂの周（外側）面の内側に接触し、ジャック１７と接続するようになっている。このとき、舌片２０ａ、２０ｂは、嵌合するように一部を取り除いたスペーサ（フィン状）１４ａ、１４ｂが支持するようになっており、金属フレーム１０ａ、１０ｂの取り付けに支障が無いようにしてある。また、こうして金属フレーム１０ａ、１０ｂに接触させることで、樹脂カバー１２による圧接で接触不良を起こさないようにしてある。
【００３１】
円盤状の支持部材１３は、円盤の中央に孔を設けたドーナツ形のもので、絶縁性のプラスチックで形成されている。また、円盤の周囲は折り曲げられており、その断面は図１（ｂ）のように「コ」の字形になっている。さらに、その折曲部分には、２箇所の切欠３２を対向して設け、前記切欠３２が金属フレーム１０ａ、１０ｂの先端に係合して図３に示すように、金属フレーム１０ａ、１０ｂの内側に嵌まるようにしてある。
【００３２】
このとき、支持部材１３の前記切欠３２から９０度ずれた位置に突部３３を形成し、突部３３が図３のように金属フレーム１０ａ、１０ｂのスリット２７に当接して、スリット２７の縮小を止めることができるようにしてある。このようにすることにより、突部３３の高さを調整すればスリット２７の縮小幅を調節できるので、樹脂カバー１２の取り付け後にスリット２７の変形程度を調整して、温度ムラが起き難くなるようにしてある。
【００３３】
樹脂カバー１２は、周囲に突起７を形成した円筒状をしたもので、弾性材（例えば、ポリエステル系熱可塑性エラストマー製、これ以外の樹脂でも弾性を示すものであれば可）で形成されたものである。また、樹脂カバー１２は図３に示すように、底部に挿通孔３４が設けられており、前記挿通孔３４を介して金属フレーム１０ａ、１０ｂを立設した台部１１に被せられるようになっている。
【００３４】
この形態は、上記のように構成され、このヘアーカーラでは、図２のように、保持部材２２の孔２４に発熱体１を入れ、その発熱体１を取り付けた保持部材２２の両面に、それぞれ金属フレーム１０ａ、１０ｂを取り付けて挟持する。そして、金属フレーム１０ａ、１０ｂの取り付けられた保持部材２２を台部１１の端子板１９に取り付ける。すると、図３のように金属フレーム１０ａ、１０ｂが台部１１に嵌まってスペーサー１４により支持されるので、金属フレーム１０ａ、１０ｂの上部に支持部材１３を嵌める。このように台部１１に金属フレーム１０ａ、１０ｂを立設すると、金属フレーム１０ａ、１０ｂに舌片２０ａ、２０ｂが接触して前記フレーム１０ａ、１０ｂに挟持された発熱体１と、舌片２０ａ、２０ｂに接続されたジャック１７とが図１（ｂ）のように電気的に接続される。
【００３５】
こうして金属フレーム１０ａ、１０ｂを立設した台部１１に、図３のように樹脂カバー１２を被せる。このとき、金属フレーム１０ａ、１０ｂの先端は、スリット２７によって縮小するが、縮小幅は支持部材１３で規制された範囲で縮小するため潰れることはなく、その際、スリット２７の縮小幅が小さくても前記カバー１２に弾性があるので容易に嵌めることができる。このように樹脂カバー１２を被せるだけで組立てが完了し、組立てにモールド加工を用いないので量産効果が期待できる。
【００３６】
一方、組み立てられたヘアーカーラは、図４のように給電スタンド５にセットすると、ジャック１７から金属フレーム１０ａ、１０ｂを介して発熱体１への給電が行われる。そして、給電が行われると発熱体１が発熱し、金属フレーム１０ａ、１０ｂを介して前記カバー１２が温められる。
【００３７】
所定の温度（セラミックスの負性特性により一定の温度に保たれる）に温まると（カバーの上部にインジケータを設けてある）、給電スタンド５から外して髪に巻き付ける。
【００３８】
このとき、前記カバー１２は弾性体で形成したものなので、柔らかくて感触も良く、突起７も柔らかくて強く巻き付けても頭皮を傷つけない。また、このとき、ヘアーカーラへは髪を巻き付けた圧力が加わるが、加わった圧力でスリット２７が縮小しようとしても、支持部材１３が当接して阻止するので、ヘアーカーラの変形を防ぐことができる。このため、変形による温度のバラツキを起こさない。したがって、温度ムラを生じないので、綺麗な仕上がりが期待できる。
【００３９】
なお、この形態では、発熱体１に円形のセラミックを用いたが、これに限定されるものではなく、発熱体１であればどのようなものでも構わない。
【図面の簡単な説明】
【００４０】
【図１】（ａ）実施形態の横断面図、（ｂ）実施形態の縦断面図
【図２】実施形態の分解斜視図
【図３】実施形態の作用説明図
【図４】実施形態の作用説明図
【図５】従来例の縦断面図
【符号の説明】
【００４１】
１  発熱体
１０ａ  金属フレーム
１０ｂ  金属フレーム
１１  台部
１２  樹脂カバー
１３  支持部材
１５  嵌入口
２７  スリット
３３  突部
【図１】
2006102370.tif 000003
【図２】
2006102370.tif 000004
【図３】
2006102370.tif 000005
【図４】
2006102370.tif 000006
【図５】
2006102370.tif 000007